(57)【要約】【課題】目地モルタルが目地空間の隅々まで行き渡らずに虫食い目地となったり、目地モルタル中に気泡が残存したり、塗込んだ目地モルタルが下地側に馴染み難い。【解決手段】機枠１上部にガイド枠２を平伏配設すると共に、該ガイド枠２の内壁面に施工治具Ａの支承体10を配設し、ガイド枠２の下方に昇降自在な押上板17を備えた押上装置３を配設し、機枠１に振動付与手段４を設ける。ガイド枠２内にして施工治具Ａ上に裏面を上向きにしたタイルユニットＵをセットし、該タイルユニットＵの裏面側に目地モルタルＭを塗込み、押上板17を上昇させて、タイルユニットＵを、施工治具Ａ上にセット状態のままガイド枠２に対し垂直方向に押し上げる過程において、目地モルタルＭの塗込み後に振動付与手段４を始動させてタイルユニットＵに振動を付与することによって、塗り込んだ目地モルタルＭを目地空間の隅々まで行き渡らせると共に気泡を除き、且つ含有水分を浮き出させて軟化した目地モルタルＭの表面側が、下地側に馴染み易くなる。【選択図】図３
0003127390.tif 000002
【実用新案登録請求の範囲】
【請求項１】
シート材裏面に１８０度反転した複数のタイルを配列接着すると共に、タイル間の間隙部に仮目地材を嵌入接着したタイルユニットを板状の施工治具にセットして、タイルユニット裏面に目地モルタルを塗込む様にした塗込用器具において、
機枠上部にガイド枠を平伏配設すると共に、該ガイド枠の内壁面に施工治具の支承体を配設し、ガイド枠の下方に昇降自在な押上板を備えた押上装置を配設し、機枠に振動付与手段を設けたことを特徴とする塗込用器具。
【考案の詳細な説明】
【技術分野】
【０００１】
本考案は、シート材裏面に複数のタイルを配列接着したタイルユニット裏面への目地モルタル塗込み時に使用する塗込用器具に関するものである。
【背景技術】
【０００２】
従来、かかるタイルユニット裏面への目地モルタルの塗込み時には、基板上面に一対のＬ型枠体を矩形状に組み合わせ、一方のＬ型枠体を基板に固設すると共に、他方のＬ型枠体を基板に対し着脱自在と成したガイド枠を使用しており、裏面を上にしたタイルユニットを基板上に載置してその２辺を固定Ｌ型枠体の内側面に当てると共に、可動Ｌ型枠体を基板上に載置してその内側面を残る２辺に当てる様にして、一対のＬ型枠体内にタイルユニットをセットし、次にコテで掬い取った目地モルタルをタイルユニット裏面に、タイル相互間の隙間に目地モルタルが充分行き渡る様に塗込んだ後、Ｌ型枠体上にスクレーパーを載置し斜め方向にスライドさせて、余分な目地モルタルを除去すると共に目地モルタル上面をＬ型枠体と同レベルと成す様にして塗込み作業を行っていた。
【考案の開示】
【考案が解決しようとする課題】
【０００３】
しかし、上記従来技術にあっては、下記の通り、解決せねばならない課題があった。
（１）粘性が高い目地モルタルが目地空間の隅々まで行き渡らないため、養生硬化後に虫食い目地となる可能性が大きい。
（２）目地モルタル中に気泡（ピンホール）が残存してしまう。
（３）塗込んだ目地モルタルの表面が固く、下地側に馴染み難い。
【課題を解決するための手段】
【０００４】
本考案は、上記従来技術に基づく、上記（１）〜（３）の課題に鑑み、機枠上部にガイド枠を平伏配設すると共に、該ガイド枠の内壁面に施工治具の支承体を配設し、ガイド枠の下方に昇降自在な押上板を備えた押上装置を配設し、機枠に振動付与手段を設け、ガイド枠内にして施工治具上に裏面を上向きにしたタイルユニットをセットし、タイルユニットの裏面側に目地モルタルを塗込み、押上板を上昇させて、タイルユニットを、施工治具上にセット状態のままガイド枠に対し垂直方向に押し上げる過程において、目地モルタルの塗込み後に振動付与手段を始動させてタイルユニットに振動を付与することによって、塗り込んだ目地モルタルを目地空間の隅々まで行き渡らせると共に、気泡を除く様にして、上記（１）及び（２）の課題を解決し、且つ含有水分を浮き出させた目地モルタルの表面側が軟化して、下地側に馴染み易くなる様にして、上記（３）の課題を解決する。
【考案の効果】
【０００５】
要するに本考案は、機枠上部にガイド枠を平伏配設すると共に、該ガイド枠の内壁面に施工治具の支承体を配設し、ガイド枠の下方に昇降自在な押上板を備えた押上装置を配設し、機枠に振動付与手段を設けたので、該振動付与手段により目地モルタルが塗り込まれたタイルユニットを振動させることで、塗り込んだ目地モルタルを目地空間の隅々まで行き渡らせると共に、気泡を除くことが出来るため、熟練工による目地以上に美麗且つ高精度な虫食いの無いタイル壁面を、低コスト且つ簡単に構築することが出来、且つタイルユニット裏面全面への目地モルタルの塗込みにより目地モルタルとタイルユニット又は下地面との間の空隙を無くすことが出来るため、白華現象の発生源の一つを排除出来、よって白華現象が発生し難いタイル壁面を構築することが出来る。
而も、目地モルタルに振動を与えることで、含有水分を浮き出させた目地モルタルの表面側が軟化して下地側に馴染み易くなり、目地モルタルの下地側への密着性が向上するため、タイルユニットの剥離事故のないタイル壁面を構築することが出来る等、その実用的効果甚だ大である。
【考案を実施するための最良の形態】
【０００６】
以下本考案の一実施例を図面に基づいて説明する。
図１〜３は、本考案に係る塗込用器具の正面図、平面図及び側面図であり、かかる塗込用器具にあっては、機枠１と、該機枠１上に着脱可能に平伏配設した略矩形状のガイド枠２と、機枠１内部中央に配設した上下動自在な押上装置３と、機枠１への振動付与手段４を備えている。
【０００７】
機枠１にあっては、矩形枠状の上下方フレーム５、5aと、該上下フレーム５、5aの四隅部間に設けた縦フレーム６、6a…とを備えている。
【０００８】
ガイド枠２にあっては、４本の枠部材７、7a…を矩形状に組み立てて形成したもので、該枠部材７、7a…の夫々は、図４に示す様に、細長平板状の平坦部８と、該平坦部８の内側端縁部より上方へ連続突設した垂直部９と、該垂直部９の内面に設けた、施工治具Ａの支承体10とを備え、該支承体10は、垂直部９への固定部位10a と、該固定部位10a より内側へ連続形成した水平部位10b とで構成されている。
又、各枠部材７、7a…の一端部に連結板８を固設し、該連結板11は平坦部８及び垂直部９に対し直角に配置し、且つ枠部材７、7a…端面と連結板11外側面を面一にしている。
そして、直交する一方の枠部材７、7a…の連結板８を、他方の枠部材７、7a…の垂直部９の外側面に当接させると共に、連結板８及び垂直部９をクランプ12で挟着することで、４本の枠部材７、7a…を適宜大きさの矩形状に組み立ててガイド枠２と成している。
又、ガイド枠２自体も、クランプ13、13a …により上方フレーム５に対し着脱自在と成している。
よって、ガイド枠２内の施工治具Ａ上にセットしたタイルユニットＵの裏面に塗込む目地モルタルＭを同厚化出来、４本の枠部材７、7a…における支承体10で施工治具Ａの四辺部を支持することで、目地モルタルＭの塗込み作業時の施工治具Ａが安定し、又多種多様な大きさのタイルユニットＵに対応出来、一旦ガイド枠２をセットした後には同種のタイルユニットＵを使う限りガイド枠２をセットし直す必要が無い。
又、各枠部材７、7a…における垂直部９に対し支承体10の上下方向の位置を調節可能にすれば、支承体10の上下動によりガイド枠２内にセットされたタイルユニットＵの裏面とガイド枠２の上面との間隔の調節が可能になり、タイルユニットＵの種類によるタイルＴ、Ｔａ…の厚み及び目地モルタルＭの塗込厚の相異に対応可能になる。
但し、図面上、ガイド枠２は矩形枠状であるが、これは図示したタイルユニットＵが矩形状であるためであり、タイルユニットＵの形態によってガイド枠２の形態も変更すべきものであるため、矩形枠状には何ら限定されない。
【０００９】
押上装置３にあっては、機枠１における両側方の一対の縦フレーム６、6a及び6b、6cの上端寄りの中間部間に水平架設した横フレーム14、14a 間に載架固設した取付基板15に対し上下動自在に配設され、取付基板15に対し垂直に貫通する上下動可能なシャフト16、16a と、該シャフト16、16a 上端に固設した押上板17とを備え、シャフト16、16a の下端側を受け板18により一体化している。
又、押上板17にあっては、シャフト16、16a との固板基板19と、該固板基板19両側部より上方へ連絡形成した側板20、20a と、該側板20、20a の上端外側面に固設した受承体21、21a とを備え、該受承体21、21a の両端部を側板20、20a の両側部より突出させている。
よって、押上装置３の押上板18を上昇させてタイルユニットＵをガイド枠２に対し垂直方向に脱型することから、ガイド枠２とタイルユニットＵ間に隙間が生ぜず、ガイド枠２にタイルユニットＵ周囲部の目地モルタルＭが付着、分離せず、隣接するタイルユニットＵの境界部の目地を形成する目地モルタルＭも変形せずに脱型されることから、張付施工後のタイル壁面におけるタイルユニットＵの境界部の目地の補修が不要になると共にガイド枠２の掃除も不要になり、又タイルユニットＵがガイド枠２上方迄完全に持ち上げられるため、タイルユニットＵが簡単に受け取れる。
尚、取付基板15の上面における押上板17の下方部位に緩衝材22、22a を設けている。
【００１０】
機枠１の下方部にペダル23を設け、該ペダル23は細長板状にして、下面中間部にブラケット24が垂下固設されており、下方フレーム5aの中央前後方向に架設した取付板25の後方寄りに立設した支持板26の先端部にブラケット24を軸着して、ペダル23を上下揺動可能とし、ペダル23の先端部を受け板18下面側に当接可能にして、ペダル23を踏むことにより押上装置３全体を上方へ持ち上げる様にしている。
【００１１】
振動付与手段４は、上記取付板25の前方寄りに設置され、かかる振動付与手段４は、フットスイッチ4aにより始動させる様にしている。
【００１２】
タイルユニットＵは、伸縮が小さい合成樹脂製のシート材Ｓと、該シート材Ｓの裏面に１８０度反転させて碁盤目状に配列接着したタイルＴ、Ｔａ…と、隣接するタイルＴ、Ｔａ…間の間隙部に嵌入してシート材Ｓに接着すると共に、タイルＴ、Ｔａ…側端面と密着状態とした仮目地材Ｒ、Ｒａ…とにより構成されており、シート材ＳはタイルＴ、Ｔａ…の接着部位より縦横方向に、上記間隙部の幅寸法分大きく設定して、その部位にも仮目地材Ｒ、Ｒａ…を接着している。
【００１３】
タイルユニットＵを壁面へ圧着する時に使用する施工治具Ａにあっては、矩形状にしてタイルユニットＵのシート材Ｓと同形同大の基板Ｂと、該基板Ｂの背面に設けた把手Ｄとを備え、かかる施工治具Ａの前面を上向きにしてガイド枠２内にセットして、四隅部をガイド枠２における各枠部材７、7a…の支承体10で受ける様に成っている。
尚、基板Ｂの前面上方部にして、セットされるタイルユニットＵにおける仮目地材Ｒ、Ｒａ…との対応位置に尖端状の刺止突起（図示せず）配設しても良い。
そして、壁面へのタイルユニットＵの移動、運搬に際して、シート材Ｓに接着されただけで湾曲し易いタイルユニットＵを施工治具Ａにセットして壁面へ運搬すれば、タイルユニットが湾曲したり、目地モルタルＭが変形することが防止出来、又基板Ｂの前面にタイルユニットＵにおけるシート材Ｓ及び仮目地材を貫通する複数の刺止突起（図示せず）があれば、タイルユニットＵの運搬中及び壁面への圧着初期において、施工治具Ａ及びタイルユニットＵの傾斜、立設時にタイルユニットＵが基板Ｂ上から落下せずこれらの作業を容易に行うことが可能になり、且つ壁面へのタイルユニットＵの圧着時に施工治具Ａを介して振動、衝撃等の圧着外力を一度に付加することが可能になる。
【００１４】
次に本考案に係る塗込用器具の作用について説明する（図５参照）。
先ず、ガイド枠２内にタイルユニットＵを嵌め込み、タイルユニットＵの裏面全体に目地モルタルＭを塗込み、該目地モルタルＭをタイルＴ、Ｔａ…間の間隙部及び各タイルＴ、Ｔａ…の裏足に充分行き渡らせた後、フットスイッチ4aを踏んで振動付与手段４を始動させ、目地モルタルＭの表面に水分が染みだした段階で振動付与手段４を停止させ、その後ガイド枠２上にスクレーパー（図示せず）を載置し斜め方向にスライドさせて、余分な目地モルタルＭを取り除くと共に目地モルタルＭの上面をガイド枠２上面と同レベルと成す。
【００１５】
最後に、ペダル23を踏んで押上装置３を持ち上げると、押上板17の受承体21、21a の上面が施工治具Ａの背面に当接し、タイルユニットＵが施工治具Ａにセット状態で垂直上昇してガイド枠２から完全に脱型し、タイルユニットＵの目地モルタルＭが未硬化状態の間に、タイルユニットＵがセットされた施工治具Ａを壁面の前面に運搬し、施工治具Ａを壁面に押圧してタイルユニットＵを圧着し、その後施工治具Ａの後面側から押圧、振動、衝撃等を加えたり、施工治具Ａを外して圧着されたタイルユニットＵに直接押圧、振動、衝撃等を加えて密着させる。
【００１６】
又、必要に応じてタイルユニットＵを適宜切断したものを使用する場合、タイルユニットＵの切除側と同幅の嵌め板（図示せず）を施工治具Ａにセット後、使用するタイルユニットＵを施工治具Ａにセットして、ガイド枠２をセットし直さずに上記と同様に同厚の目地モルタルＭを塗込む様にしている。
【００１７】
そして、壁面全面にタイルユニットＵを圧着して目地モルタルＭの養生硬化後、充分にタイルユニットＵの付着強度が得られた後にシート材Ｓを剥離すれば、それに伴い接着材でシート材Ｓに接着された仮目地材Ｒ、Ｒａ…も取り除かれて均一幅、均一深さの目地が露出し、美麗且つ高精度な虫食いの無いタイル壁面が構築される。
【００１８】
又、上記作業は２枚の施工治具Ａを用意すると共に２人の作業員が塗込み作業と圧着作業を分担して行うと効率が良く、かかる工法は塗込み作業員が塗込用器具１による塗込み作業を行い、圧着作業員がもう一方の施工治具ＡによりタイルユニットＵを圧着後の空の施工治具Ａを塗込み作業員に渡すと共に自らペダル23を踏んで、目地モルタルＭが塗込まれたタイルユニットＵを受け取って圧着作業を行うことを同時進行して、タイル壁面を構築する。
又、ペダル23を踏めばガイド枠２上にタイルユニットＵが持ち上がることから、作業員が１人であっても、その両手はフリーになり、タイルユニットＵをセットした施工治具Ａを両手で確実に受け取ることが可能になる。
【図面の簡単な説明】
【００１９】
【図１】本考案に係る塗込用器具の正面図である。
【図２】図１の平面図である。
【図３】図１の側面図である。
【図４】ガイド枠の枠部材の斜視図である。
【図５】塗込み工程を示す概略断面図である。
【符号の説明】
【００２０】
１  機枠
２  ガイド枠
３  押上装置
４  振動付与手段
10  支承体
17  押上板
Ａ  施工治具
【図１】
0003127390.tif 000003
【図２】
0003127390.tif 000004
【図３】
0003127390.tif 000005
【図４】
0003127390.tif 000006
【図５】
0003127390.tif 000007